【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたサーバ装置、および、制御部と表示部とを少なくとも備えた端末装置、を通信可能に接続したナビゲーションシステムであって、
上記サーバ装置の上記記憶部は、
各地域および各時間帯の予想降雨量情報を記憶する予想降雨量情報記憶手段、
を備え、
上記サーバ装置の上記制御部は、
出発地から目的地までの案内経路を取得する案内経路取得手段と、
上記予想降雨量情報記憶手段に記憶された予想降雨量情報に基づいて、上記案内経路取得手段により取得された上記案内経路における被降雨量を算出する被降雨量算出手段と、
上記被降雨量算出手段により算出された上記被降雨量を上記案内経路に対応付けて示す降雨案内情報を作成する降雨案内情報作成手段と、
上記降雨案内情報作成手段により作成された上記降雨案内情報を、上記端末装置に送信する降雨案内情報送信手段と、
を備え、
上記端末装置の上記制御部は、
上記サーバ装置から送信される、上記降雨案内情報を受信する降雨案内情報受信手段と、
上記降雨案内情報受信手段により受信された上記降雨案内情報を、上記表示部に表示させる降雨案内情報表示手段と、
を備えたことを特徴とする、ナビゲーションシステム。
【請求項２】
請求項１に記載のナビゲーションシステムにおいて、
上記被降雨量算出手段は、
上記案内経路取得手段により取得された上記案内経路を単位時間あたりで分割し、当該分割した上記案内経路を通過する時間帯および通過する地域に対応する上記予想降雨量情報に基づいて、上記分割された上記案内経路ごとの上記被降雨量を算出することを特徴とする、ナビゲーションシステム。
【請求項３】
請求項１に記載のナビゲーションシステムにおいて、
上記被降雨量算出手段は、
上記案内経路取得手段により取得された上記案内経路を所定距離間隔で分割し、当該分割した上記案内経路を通過する時間帯および通過する地域に対応する上記予想降雨量情報に基づいて、上記分割された上記案内経路ごとの上記被降雨量を算出することを特徴とする、ナビゲーションシステム。
【請求項４】
請求項２または３に記載のナビゲーションシステムにおいて、
上記降雨案内情報作成手段は、
上記分割された上記案内経路上に、上記被降雨量算出手段により算出された当該分割された上記案内経路ごとの上記被降雨量を示す上記降雨案内情報を作成することを特徴とする、ナビゲーションシステム。
【請求項５】
請求項１に記載のナビゲーションシステムにおいて、
上記被降雨量算出手段は、
上記案内経路取得手段により取得された上記案内経路について、所定時間間隔の出発時刻それぞれにおける上記被降雨量を上記予想降雨量情報に基づいて算出し、
上記降雨案内情報作成手段は、
上記各出発時刻における上記被降雨量を比較可能に示す上記降雨案内情報を作成することを特徴とする、ナビゲーションシステム。
【請求項６】
請求項５に記載のナビゲーションシステムにおいて、
上記被降雨量算出手段は、
上記案内経路取得手段により取得された上記案内経路を構成するリンクごとに、上記被降雨量を上記予想降雨量情報に基づいて算出し、
上記降雨案内情報作成手段は、
上記リンクごとの上記被降雨量を合計し、合計した上記被降雨量を上記案内経路に対応付けて示す上記降雨案内情報を作成することを特徴とする、ナビゲーションシステム。
【請求項７】
請求項１乃至６に記載のナビゲーションシステムにおいて、
上記降雨案内情報作成手段は、
上記被降雨量算出手段により算出された、上記案内経路または上記案内経路の区間ごとの上記被降雨量が所定値より大きい場合、雨具の用意を促す旨を示す上記降雨案内情報を作成することを特徴とする、ナビゲーションシステム。
【請求項８】
請求項１乃至６に記載のナビゲーションシステムにおいて、
上記降雨案内情報作成手段は、
上記被降雨量算出手段により算出された、上記案内経路または上記案内経路の区間ごとの上記被降雨量が所定値より大きい場合、出発時刻の変更を促す旨を示す上記降雨案内情報を作成することを特徴とする、ナビゲーションシステム。
【請求項９】
請求項１乃至６に記載のナビゲーションシステムにおいて、
上記降雨案内情報作成手段は、
上記被降雨量算出手段により算出された、上記案内経路または上記案内経路の区間ごとの上記被降雨量が所定値より大きい場合、迂回を促す旨を表示する上記降雨案内情報を作成することを特徴とする、ナビゲーションシステム。
【請求項１０】
請求項１乃至６に記載のナビゲーションシステムにおいて、
上記案内経路取得手段は、
上記被降雨量算出手段により算出された、上記案内経路または上記案内経路の区間ごとの上記被降雨量が所定値より大きい場合、当該案内経路または当該区間を含まない上記案内経路を新たに取得することを特徴とする、ナビゲーションシステム。
【請求項１１】
請求項１乃至１０に記載のナビゲーションシステムにおいて、
上記被降雨量算出手段は、
上記案内経路取得手段により複数の上記案内経路が取得された場合、当該案内経路ごとに上記被降雨量を上記予想降雨量情報に基づいて算出し、
上記降雨案内情報作成手段は、
上記案内経路ごとの上記被降雨量を比較可能に示す上記降雨案内情報を作成することを特徴とする、ナビゲーションシステム。
【請求項１２】
請求項１乃至１１に記載のナビゲーションシステムにおいて、
上記降雨案内情報作成手段は、
上記被降雨量を、グラフ、地図上の記号、または数値で示す上記降雨案内情報を作成することを特徴とする、ナビゲーションシステム。
【請求項１３】
各地域および各時間帯の予想降雨量情報を記憶する予想降雨量情報記憶手段と、
出発地から目的地までの案内経路を取得する案内経路取得手段と、
上記予想降雨量情報記憶手段に記憶された予想降雨量情報に基づいて、上記案内経路取得手段により取得された上記案内経路における被降雨量を算出する被降雨量算出手段と、
上記被降雨量算出手段により算出された上記被降雨量を上記案内経路に対応付けて示す降雨案内情報を作成する降雨案内情報作成手段と、
上記降雨案内情報作成手段により作成された上記降雨案内情報を、表示部に表示させる降雨案内情報表示手段と、
を備えたことを特徴とする、ナビゲーションシステム。
【請求項１４】
表示部を少なくとも備えた端末装置に接続された、制御部と記憶部とを少なくとも備えたサーバ装置であって、
上記記憶部は、
各地域および各時間帯の予想降雨量情報を記憶する予想降雨量情報記憶手段、
を備え、
上記制御部は、
出発地から目的地までの案内経路を取得する案内経路取得手段と、
上記予想降雨量情報記憶手段に記憶された予想降雨量情報に基づいて、上記案内経路取得手段により取得された上記案内経路における被降雨量を算出する被降雨量算出手段と、
上記被降雨量算出手段により算出された上記被降雨量を上記案内経路に対応付けて示す降雨案内情報を作成する降雨案内情報作成手段と、
上記降雨案内情報作成手段により作成された上記降雨案内情報を、上記端末装置に送信することにより、上記端末装置の上記表示部に表示させる降雨案内情報送信手段と、
を備えたことを特徴とする、サーバ装置。
【請求項１５】
記憶部を少なくとも備えたサーバ装置に接続された、制御部と表示部とを少なくとも備えた端末装置であって、
上記記憶部は、
各地域および各時間帯の予想降雨量情報を記憶する予想降雨量情報記憶手段、
を備え、
上記制御部は、
出発地から目的地までの案内経路において、上記予想降雨量情報記憶手段に記憶された予想降雨量情報に基づいて算出された被降雨量を当該案内経路に対応付けて示す降雨案内情報を受信する降雨案内情報受信手段と、
上記降雨案内情報受信手段により受信された上記降雨案内情報を、上記表示部に表示させる降雨案内情報表示手段と、
を備えたことを特徴とする、端末装置。
【請求項１６】
制御部と記憶部と表示部とを少なくとも備えたナビゲーション装置であって、
上記記憶部は、
各地域および各時間帯の予想降雨量情報を記憶する予想降雨量情報記憶手段、
を備え、
上記制御部は、
出発地から目的地までの案内経路を取得する案内経路取得手段と、
上記予想降雨量情報記憶手段に記憶された予想降雨量情報に基づいて、上記案内経路取得手段により取得された上記案内経路における被降雨量を算出する被降雨量算出手段と、
上記被降雨量算出手段により算出された上記被降雨量を上記案内経路に対応付けて示す降雨案内情報を作成する降雨案内情報作成手段と、
上記降雨案内情報作成手段により作成された上記降雨案内情報を、上記表示部に表示させる降雨案内情報表示手段と、
を備えたことを特徴とする、ナビゲーション装置。
【請求項１７】
ナビゲーションシステムにおけるナビゲーション方法であって、
上記ナビゲーションシステムは、
各地域および各時間帯の予想降雨量情報を記憶する予想降雨量情報記憶手段と、案内経路取得手段と、被降雨量算出手段と、降雨案内情報作成手段と、降雨案内情報表示手段と、を備え、
上記案内経路取得手段が、出発地から目的地までの案内経路を取得する案内経路取得ステップと、
上記被降雨量算出手段が、上記予想降雨量情報記憶手段に記憶された予想降雨量情報に基づいて、上記案内経路取得ステップにて取得された上記案内経路における被降雨量を算出する被降雨量算出ステップと、
上記降雨案内情報作成手段が、上記被降雨量算出ステップにて算出された上記被降雨量を上記案内経路に対応付けて示す降雨案内情報を作成する降雨案内情報作成ステップと、
上記降雨案内情報表示手段が、上記降雨案内情報作成ステップにて作成された上記降雨案内情報を、表示部に表示させる降雨案内情報表示ステップと、
を含むことを特徴とする、ナビゲーション方法。
【請求項１８】
制御部と記憶部と表示部とを少なくとも備えたナビゲーション装置に実行させるためのプログラムであって、
上記記憶部は、
各地域および各時間帯の予想降雨量情報を記憶する予想降雨量情報記憶手段、
を備え、
上記制御部において、
出発地から目的地までの案内経路を取得する案内経路取得ステップと、
上記予想降雨量情報記憶手段に記憶された予想降雨量情報に基づいて、上記案内経路取得ステップにて取得された上記案内経路における被降雨量を算出する被降雨量算出ステップと、
上記被降雨量算出ステップにて算出された上記被降雨量を上記案内経路に対応付けて示す降雨案内情報を作成する降雨案内情報作成ステップと、
上記降雨案内情報作成ステップにて作成された上記降雨案内情報を、上記表示部に表示させる降雨案内情報表示ステップと、
を実行させるためのプログラム。